(57)【特許請求の範囲】
【請求項１】
遊技領域が前面に画成された遊技盤に配設され、該遊技領域を流下する遊技球が入賞可能な入賞口を有する本体と、作動手段の作動により第１状態および第２状態に変位可能に設けられ、第１状態から第２状態に変位することで前記入賞口への遊技球の入賞を可能とする可変手段とを有する入賞装置を備えた遊技機において、
前記可変手段が前記第２状態にある場合に前記入賞口への遊技球の入賞を許容する許容状態となり、前記可変手段が前記第２状態と第１状態との間にある場合に前記入賞口への遊技球の入賞を規制する規制状態となる規制手段を備え、
前記規制手段は規制部を備え、
前記規制部は、前端から後方に向かうにつれて上下幅が徐々に小さくなり、前端が前方へ凸となる湾曲状で上端および下端が直線状となる扇形状に形成され、
前記規制部は、前端の上下方向の略中間から下側部分が上側部分より前方へ突出する球当て部を備え、
前記本体内に、前記入賞口に整合する入賞空間と、該入賞空間の上側において前記規制手段を収容する収容部とが画成され、
前記本体には、前記収容部を画成する前側の壁に形成されて前後に開口すると共に前記入賞口に連通する第１スリット部と、該収容部を画成する下側の壁に形成されて上下に開口すると共に前記第１スリット部に連通する第２スリット部と、該収容部を画成する上側の壁に形成されて上下に開口する第３スリット部とが設けられ、
前記規制手段は、前記許容状態において前記規制部が、前記入賞口および前記入賞空間から退避して該規制部の下端が前記第２スリット部に位置すると共に該規制部の上端が前記第３スリット部に位置し、前記球当て部が前記第１スリット部に位置して、該入賞口への遊技球の入賞を許容すると共に、
前記規制手段は、前記規制状態において前記規制部の球当て部が、前記入賞口内へ遊技球に接触可能な位置まで延出して、該入賞口への遊技球の入賞を規制するよう構成された
ことを特徴とする遊技機。
【請求項２】
前記可変手段は、前記本体の前面に形成された前記入賞口の下縁を進退移動可能な形状に形成されると共に、遊技球を受け止めて該入賞口へ案内し得る球受け部が設けられ、前記本体内に移動して前記球受け部での遊技球の受け止めが不能な前記第１状態、および前記本体から遊技領域へ延出して前記球受け部での遊技球の受け止めが可能な前記第２状態に変位するよう構成され、
前記規制手段は、前記可変手段に連係されたリンク手段に連係されて、該規制手段は、該可変手段が前記第１状態から第２状態へ変位する際に前記規制状態から許容状態へ切り換わり、該可変手段が前記第２状態から第１状態へ変位する際に前記許容状態から規制状態へ切り換わるよう構成され、
前記規制手段は、前記可変手段が前記第２状態から第１状態へ変位する際においては、該可変手段が前記第２状態から第１状態に向けて変位を開始した後の所定のタイミングまでは前記許容状態に保持され、該所定のタイミングで該規制手段の前記許容状態から規制状態への変位が開始されて、前記第２状態から第１状態へ変位途中の前記可変手段の球受け部に受け止められた遊技球に前記規制状態への変位途中の該規制手段の前記球当て部が接触して該遊技球の前記入賞口への入賞を規制するよう構成され、
前記本体における前記入賞口を挟む両側に、該入賞口の開口縁から外方へ突出する壁部が設けられ、
前記壁部の上面は、前記入賞口に向けて下方傾斜している請求項１記載の遊技機。
【請求項３】
前記本体の前記収容部に、前記リンク手段が収容されるよう構成され、
前記可変手段に、前記球受け部で受け止めた遊技球の下方への通過を許容する球通過口が形成されると共に、
前記可変手段の底部における該可変手段の進退移動方向と交差する方向で前記球通過口を挟む両側に、前記進退移動方向に細長に延在するように下方に突出する当接縁部が設けられ、
前記可変手段は、前記当接縁部が前記本体の内底面に線状に接触して摺動するよう構成された請求項２記載の遊技機。
【発明の詳細な説明】
【技術分野】
【０００１】
本発明は、前面に遊技領域が画成された遊技盤に、該遊技領域を流下した遊技球が入賞可能な入賞装置が配設された遊技機に関するものである。
【背景技術】
【０００２】
遊技機であるパチンコ機は、遊技球としてのパチンコ球が流下する遊技領域が前面に画成された遊技盤を備えている。遊技盤には、遊技領域の略中央に開口が形成されて、枠状に構成された装飾部材(所謂センター役物)が該開口縁に取り付けられ、液晶式やドラム式等の表示部を備えた図柄表示装置が、装飾部材に画成された開口部に該表示部を後方から臨ませた状態で当該遊技盤の後側に配設される。また、遊技盤の遊技領域には、該遊技領域を流下したパチンコ球が入賞可能な入賞装置として、普通入賞装置や、図柄表示装置における図柄変動演出が開始される契機となる始動入賞装置や、図柄表示装置での図柄変動演出の結果として当り遊技が生起された際に入賞口が開放する特別入賞装置等が配設されている。このようなパチンコ機は、遊技領域内に打ち出して該遊技領域内を流下したパチンコ球が普通入賞装置に入賞すると、所定数のパチンコ球が賞球として払い出され、遊技領域を流下したパチンコ球が始動入賞装置の入賞口に入賞すると、所定数のパチンコ球が賞球として払い出されると共に図柄表示装置の表示部において図柄変動演出が行われ、該図柄変動演出の結果として当り遊技が生起されると特別入賞装置の入賞口が開放されるラウンド遊技が所定の回数行われて、該特別入賞装置の入賞口にパチンコ球が入賞することにより多数のパチンコ球が賞球として払い出される。
【０００３】
ここで、前述した始動入賞装置および特別入賞装置は、モータや電磁ソレノイドなどの作動手段の作動により、入賞口へのパチンコ球の入賞を不能または困難とする第１状態および該パチンコ球の入賞を可能または容易とする第２状態に姿勢変位する可変手段を備えている。また、普通入賞装置においても、第１状態および第２状態に姿勢変位する可変手段を備えたものがある。そして、可変手段を備えた入賞装置は、(ａ)羽根状の可変部材(可変手段)が第１状態および第２状態に回動変位するタイプ(所謂「チューリップタイプ」)、(ｂ)扉状(板状)の可変部材(可変手段)が第１状態および第２状態に開閉変位するタイプ(所謂「アタッカータイプ」)、(ｃ)舌片状の可変部材(可変手段)が第１状態および第２状態に進退変位するタイプ等が実用化されている。ここで、(ｃ)のタイプの入賞装置は、特許文献１に開示されている。
【先行技術文献】
【特許文献】
【０００４】
【特許文献１】特開２００９−１８９４３７号公報
【発明の概要】
【発明が解決しようとする課題】
【０００５】
特許文献１に開示の入賞装置は、作動手段の作動により入賞口内を進退変位する可変手段としての受け面部材を備え、受け面部材が入賞口から後方へ退避することでパチンコ球を入賞口へ入賞不能とする第１状態と、受け面部材が入賞口から前方へ延出することでパチンコ球を受け止めて入賞口へ入賞可能とする第２状態とに変更可能に構成されている。ここで、特許文献１の入賞装置は、受け面部材が第２状態から第１状態へ変位する際に、該受け面部材上にパチンコ球が受け止められていた場合に、該受け面部材と入賞口の開口上縁との間に該パチンコ球が挟まる現象(球噛み現象)が発現し易い構造となっている。このような現象が発現した場合には、受け面部材が第１位置まで変位不能となって作動手段に負荷が掛かり、該作動手段の故障や受け面部材の破損が発生するおそれがある。また、特許文献１に開示の入賞装置は、入賞口に規定数のパチンコ球が入賞した条件が成立すると受け面部材が第２状態から第１状態へ変位するよう制御されるが、該条件が成立して第２状態から第１状態へ変位する際に受け面部材にパチンコ球が受け止められることがあり、該受け止められたパチンコ球が入賞口へ入賞した場合には規定数以上のパチンコ球が入賞して規定数以上のパチンコ球が入賞する不都合が発生する。
【０００６】
すなわち本発明は、従来の技術に係る遊技機に内在する前記課題に鑑み、これを好適に解決するべく提案されたものであって、入賞装置の故障を防止し得ると共に、該入賞口に規定数以上の遊技球が入賞することを防止し得るよう構成した遊技機を提供することを目的とする。
【課題を解決するための手段】
【０００７】
前記課題を解決し、所期の目的を達成するため、請求項１に係る発明は、
遊技領域(21)が前面に画成された遊技盤(20)に配設され、該遊技領域(21)を流下する遊技球(P)が入賞可能な入賞口(41)を有する本体(42)と、作動手段(61)の作動により第１状態および第２状態に変位可能に設けられ、第１状態から第２状態に変位することで前記入賞口(41)への遊技球(P)の入賞を可能とする可変手段(60)とを有する入賞装置(40)を備えた遊技機において、
前記可変手段(60)が前記第２状態にある場合に前記入賞口(41)への遊技球(P)の入賞を許容する許容状態となり、前記可変手段(60)が前記第２状態と第１状態との間にある場合に前記入賞口(41)への遊技球(P)の入賞を規制する規制状態となる規制手段(63)を備え、
前記規制手段(63)は規制部(110)を備え、
前記規制部(110)は、前端から後方に向かうにつれて上下幅が徐々に小さくなり、前端が前方へ凸となる湾曲状で上端(114)および下端(115)が直線状となる扇形状に形成され、
前記規制部(110)は、前端の上下方向の略中間から下側部分が上側部分より前方へ突出する球当て部(113)を備え、
前記本体(42)内に、前記入賞口(41)に整合する入賞空間(48)と、該入賞空間(48)の上側において前記規制手段(63)を収容する収容部(51)とが画成され、
前記本体(42)には、前記収容部(51)を画成する前側の壁に形成されて前後に開口すると共に前記入賞口(41)に連通する第１スリット部(57)と、該収容部(51)を画成する下側の壁に形成されて上下に開口すると共に前記第１スリット部(57)に連通する第２スリット部(58)と、該収容部(51)を画成する上側の壁に形成されて上下に開口する第３スリット部(59)とが設けられ、
前記規制手段(63)は、前記許容状態において前記規制部(110)が、前記入賞口(41)および前記入賞空間(48)から退避して該規制部(110)の下端(115)が前記第２スリット部(58)に位置すると共に該規制部(110)の上端(114)が前記第３スリット部(59)に位置し、前記球当て部(113)が前記第１スリット部(57)に位置して、該入賞口(41)への遊技球(P)の入賞を許容すると共に、
前記規制手段(63)は、前記規制状態において前記規制部(110)の球当て部(113)が、前記入賞口(41)内へ遊技球(P)に接触可能な位置まで延出して、該入賞口(41)への遊技球(P)の入賞を規制するよう構成されたことを要旨とする。
請求項１に係る発明によれば、所定条件の成立時には、入賞装置の可変手段が第２状態に変位すると共に規制手段が許容状態に切り換わるので、遊技領域を流下した遊技球が入賞口へ入賞することが許容される。また、可変手段が第２状態から第１状態へ変位する際に、規制手段が許容状態から規制状態へ切り換わることで、入賞口への遊技球の入賞が該規制手段により規制される。これにより、可変手段と入賞口との間に遊技球が噛み込まれることが防止され、可変手段を作動させる作動手段に負荷がかかることが回避されて、入賞装置が故障することを防止し得る。また、可変手段が第２状態から第１状態へ変位する際に遊技球が入賞口へ入賞することを防止するので、入賞口に規定数以上の遊技球が入賞することも防止し得る。
また、規制手段が規制状態となると、該規制手段の規制部により遊技球が入賞口へ入賞することが防止される。また、規制手段が許容状態となると、該規制手段の規制部が入賞口から退避することにより、遊技球が入賞口へ入賞することが許容される。
【０００８】
請求項２に係る発明では、前記可変手段(60)は、前記本体(42)の前面に形成された前記入賞口(41)の下縁を進退移動可能な形状に形成されると共に、遊技球(P)を受け止めて該入賞口(41)へ案内し得る球受け部(73,74)が設けられ、前記本体(42)内に移動して前記球受け部(73,74)での遊技球(P)の受け止めが不能な前記第１状態、および前記本体(42)から遊技領域(21)へ延出して前記球受け部(73,74)での遊技球(P)の受け止めが可能な前記第２状態に変位するよう構成され、
前記規制手段(63)は、前記可変手段(60)に連係されたリンク手段(62,64)に連係されて、該規制手段(63)は、該可変手段(60)が前記第１状態から第２状態へ変位する際に前記規制状態から許容状態へ切り換わり、該可変手段(60)が前記第２状態から第１状態へ変位する際に前記許容状態から規制状態へ切り換わるよう構成され、
前記規制手段(63)は、前記可変手段(60)が前記第２状態から第１状態へ変位する際においては、該可変手段(60)が前記第２状態から第１状態に向けて変位を開始した後の所定のタイミングまでは前記許容状態に保持され、該所定のタイミングで該規制手段(63)の前記許容状態から規制状態への変位が開始されて、前記第２状態から第１状態へ変位途中の前記可変手段(60)の球受け部(73,74)に受け止められた遊技球(P)に前記規制状態への変位途中の該規制手段(63)の前記球当て部(113)が接触して該遊技球(P)の前記入賞口(41)への入賞を規制するよう構成され、
前記本体(42)における前記入賞口(41)を挟む両側に、該入賞口(41)の開口縁から外方へ突出する壁部(46,46)が設けられ、
前記壁部(46,46)の上面(46a)は、前記入賞口(41)に向けて下方傾斜していることを要旨とする。
請求項２に係る発明によれば、入賞口の下縁を進退移動可能に配設された可変手段が第２状態に変位した際には、リンク手段を介して該可変手段に連係された規制手段が許容状態となっていることで、該可変手段の球受け部で受け止められた遊技球が入賞口へ入賞することが許容される。また、可変手段が第２状態から第１状態へ変位する際に、リンク手段を介して該可変手段に連係された規制手段が規制状態へ切り換えられることで、可変手段の球受け部に遊技球が受け止められていても、該遊技球が可変手段と入賞口との間に挟まれることが防止されると共に、該遊技球が入賞口へ入賞することも防止し得る。
また、入賞口を挟んで設けられた壁部により、複数の遊技球が入賞口へ同時に集まることを防止でき、該遊技球が入賞口に引っ掛かることを防止し得る。また、壁部の上面が入賞口に向けて下方傾斜しているので、遊技球を入賞口へ円滑に案内し得る。
【０００９】
請求項３に係る発明では、前記本体(42)の前記収容部(51)に、前記リンク手段(62,64)が収容されるよう構成され、
前記可変手段(60)に、前記球受け部(73,74)で受け止めた遊技球(P)の下方への通過を許容する球通過口(75)が形成されると共に、
前記可変手段(60)の底部における該可変手段(60)の進退移動方向と交差する方向で前記球通過口(75)を挟む両側に、前記進退移動方向に細長に延在するように下方に突出する当接縁部(78,78)が設けられ、
前記可変手段(60)は、前記当接縁部(78,78)が前記本体(42)の内底面に線状に接触して摺動するよう構成されたことを要旨とする。
請求項３に係る発明によれば、可変手段と本体との摩擦が軽減される。
【発明の効果】
【００１３】
本発明に係る遊技機によれば、遊技球の球噛み現象による入賞装置の故障を防止し得ると共に、該入賞口に規定数以上の遊技球が入賞することも防止し得る。
【図面の簡単な説明】
【００１４】
【図１】本発明の実施例に係るパチンコ機の正面図である。
【図２】実施例に係る遊技盤の正面図である。
【図３】(ａ)は、前方右斜め上方から見た第２始動入賞装置の斜視図であり、(ｂ)は、後方左斜め上方から見た第２始動入賞装置の斜視図である。
【図４】(ａ)は、開閉部材が閉鎖位置にあると共に規制部材が規制位置にある第２始動入賞装置を本体ケースを省略して前方右斜め上方から見た斜視図であり、(ｂ)は、開閉部材が閉鎖位置にあると共に規制部材が規制位置にある第２始動入賞装置を本体ケースを省略して後方左斜め上方から見た斜視図である。
【図５】(ａ)は、開閉部材が開放位置にあると共に規制部材が許容位置にある第２始動入賞装置を本体ケースを省略して前方右斜め上方から見た斜視図であり、(ｂ)は、開閉部材が開放位置にあると共に規制部材が許容位置にある第２始動入賞装置を本体ケースを省略して後方左斜め上方から見た斜視図である。
【図６】前方右斜め上方から見た第２始動入賞装置の分解斜視図である。
【図７】後方左斜め上方から見た第２始動入賞装置の分解斜視図である。
【図８】(ａ)は、開閉部材が閉鎖位置にあると共に規制部材が規制位置にある第２始動入賞装置を本体ケースを省略して示す平面図であり、(ｂ)は、(ａ)のＸ１−Ｘ１線位置で破断した第２始動入賞装置の縦断側面図である。
【図９】(ａ)は、開閉部材が開放位置にあると共に規制部材が許容位置にある第２始動入賞装置を本体ケースを省略して示す平面図であり、(ｂ)は、(ａ)のＸ２−Ｘ２線位置で破断した第２始動入賞装置の縦断側面図である。
【図１０】(ａ)は、開閉部材が開放位置から閉鎖位置への移動途中に、開閉部材の球誘導片の上縁と始動入賞口の開口上縁との間にパチンコ球が挟まれる直前の状態を示す説明断面図であり、(ｂ)は、(ａ)の状態から更に開閉部材が閉鎖位置側へ移動するに伴って規制部材が規制位置に向けて移動開始したことで、パチンコ球が始動入賞口側へ移動することを規制する状態を示す説明断面図である。
【発明を実施するための形態】
【００１５】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(後述する第１始動入賞装置３０または第２始動入賞装置(入賞装置)４０へのパチンコ球Ｐの入賞)を契機として演出用の図柄(飾図)を変動表示させて図柄変動演出を行う演出実行手段としての図柄表示装置１７(図柄表示手段)が着脱可能に配設されている。また、中枠１２の前面側には、遊技盤２０の遊技領域２１と対応する位置に前後に開口する窓口１３ａが形成された装飾枠としての前枠１３が開閉可能に組み付けられている。そして、前枠１３には、ガラス板や透明な合成樹脂材で形成された透視保護板１８が窓口１３ａを覆うよう配設されており、遊技盤２０を前側から目視可能な状態で保護している。また、前枠１３における窓口１３ａの下方位置には、パチンコ球Ｐを貯留可能な上球受け皿１４および下球受け皿１５が設けられており、当該前枠１３と一体的に上下の球受け皿１４,１５を開閉し得るようになっている。実施例の前枠１３には、上球受け皿１４および下球受け皿１５が上下の位置関係で組み付けられている。なお、上下の球受け皿１４,１５の一方および両方を、前枠１３とは個別に中枠１２に組み付けるようにしてもよい。また、１つの球受け皿１４,１５のみを備える構成とすることもできる。
【００１７】
また、図１に示すように、中枠１２の右下方位置には、該中枠１２に配設された打球発射装置(図示せず)を作動する操作ハンドル１６が設けられている。操作ハンドル１６は、左回転方向に付勢された操作レバー１６ａを備えており、該操作レバー１６ａを右回転するよう遊技者が回動操作することで打球発射装置が作動されて、上球受け皿１４に貯留されたパチンコ球Ｐが遊技盤２０の遊技領域２１に向けて１球ずつ発射されるようになっている。ここで、操作レバー１６ａの回動量に応じて打球発射装置によるパチンコ球Ｐの打球力が強弱変化するよう構成されており、遊技者が操作レバー１６ａの回動量を調節することで、遊技領域２１へのパチンコ球Ｐの発射位置を任意に変更し得るようになっている。なお、実施例では、図柄表示装置１７としては、液晶パネルを収容ケースに収容した液晶表示装置が採用されているが、これに限られるものではなく、ドラム式の図柄表示装置１７やドットマトリックス式の表示装置等の各種飾図を停止および変動表示可能な従来公知の各種の表示装置を採用し得る。
【００１８】
(遊技盤２０について)
遊技盤２０は、図２に示すように、ベニヤ材や合成樹脂材により形成された略矩形状の板部材であって、遊技盤２０の後面側に図柄表示装置１７が配置されている。遊技盤２０の前面には、略円形状に湾曲形成した案内レール２２が配設されており、該案内レール２２により画成される略円形の遊技領域２１内にパチンコ球Ｐが入球可能な複数の入球部(第１始動入賞装置３０、第２始動入賞装置４０、特別入賞装置３５、普通入賞具３８)が設けられて、打球発射装置により遊技領域２１に発射されたパチンコ球Ｐの一部が入球部に入球することにより遊技が行われるようになっている。また、遊技盤２０には、前後に貫通する装着口(図示せず)が適宜位置に開設されており、各装着口に対して各種の設置部品が取り付けられると共に、遊技領域２１の最下部位置には、該遊技領域２１に打ち出されたパチンコ球Ｐを排出するアウト口２３が開設されている。実施例の遊技盤２０には、遊技盤２０の設置部品として、枠状装飾体２５、ゲート部２７、第１始動入賞装置３０、第２始動入賞装置４０、特別入賞装置３５等が配設されている。
【００１９】
遊技盤２０には、図２に示すように、案内レール２２で囲まれた遊技領域２１の略中央に、センター役とも称される枠状装飾体２５が取り付けられている。枠状装飾体２５は、前後に開口する枠状に形成されて、遊技盤２０の裏側の図柄表示装置１７の表示部を前面側から視認し得るようになっている。すなわち、実施例の遊技盤２０に画成される遊技領域２１は、打ち出されたパチンコ球Ｐが枠状装飾体２５の左側部を流下する第１球流下経路２１ａと、当該打ち出されたパチンコ球Ｐが枠状装飾体２５の右側部を流下する第２球流下経路２１ｂとに区画されており、操作ハンドル１６の操作レバー１６ａを回動操作して打球力を調節することにより、パチンコ球Ｐが第１球流下経路２１ａを流下する遊技形態およびパチンコ球Ｐが第２球流下経路２１ｂを流下する遊技形態の何れかを遊技者が任意に選択し得るようになっている。また、遊技領域２１には、枠状装飾体２５の下方位置において第１および第２球流下経路２１ａ,２１ｂが合流するようになっており、当該第１および第２球流下経路２１ａ,２１ｂが合流する合流領域２１ｃの下部に、アウト口２３が位置するようになっている。そして、遊技盤２０における遊技領域２１(第１および第２球流下経路２１ａ,２１ｂ)に多数の遊技釘２６が設けられており、遊技領域２１を流下する過程で遊技釘２６に接触したパチンコ球Ｐの流下方向を不規則に変化させるよう構成されている。なお、枠状装飾体２５は、前後に開口する形態に限らず、当該開口の全部または一部を透明板等で塞ぐ形態とすることも可能である。
【００２０】
(第１始動入賞装置３０について)
図２に示すように、実施例の遊技盤２０は、パチンコ球Ｐが入賞可能な第１始動入賞装置３０が、第１球流下経路２１ａに設けられている。第１始動入賞装置３０は、常時開口する始動入賞口３１が設けられており、遊技領域２１に打ち出されて第１球流下経路２１ａを流下するパチンコ球Ｐが、該始動入賞口３１に一定の確率で入賞し得るようになっている。ここで、第１始動入賞装置３０の始動入賞口３１に入賞したパチンコ球Ｐは、当該パチンコ機１０を総合的に制御するメイン制御基板(図示せず)に配線接続された球検出センサ(図示せず)に検出されるよう構成されており、当該球検出センサがパチンコ球Ｐを検出してメイン制御基板に検出信号が入力されることを、図柄表示装置１７での図柄変動演出の開始条件および賞球の払出条件として設定されている。
【００２１】
第１始動入賞装置３０の始動入賞口３１は、遊技盤２０の裏側に設けられた球排出通路(図示せず)に連通するよう構成されており、当該始動入賞口３１に入賞したパチンコ球Ｐが球排出通路を介して遊技盤２０の外部に排出されるよう構成されている。そして、この球排出通路に球検出センサが配設されており、球排出通路を介して排出される過程で球検出センサがパチンコ球Ｐを検出し得るようになっている。なお、実施例の第１始動入賞装置３０は、枠状装飾体２５の下方位置において遊技盤２０の左右方向の略中央に位置し、遊技盤２０の前面側に突出すると共に始動入賞口３１が上方に開口する樋形状に形成されている。
【００２２】
(ゲート部２７について)
図２に示すように、遊技盤２０の第３球流下経路２１ｃには、球入口および球出口が常に開口するよう形成されて、パチンコ球Ｐが球出口から第２球流下経路２１ｂへ通出するゲート部２７が設けられている。ゲート部２７には、メイン制御基板に配線接続された球検出センサ(図示せず)が配設されており、当該球検出センサがゲート部２７を通過するパチンコ球Ｐを検出してメイン制御基板に検出信号が入力されることを、普図変動表示の開始条件として設定されている。すなわち、図２に示すように、ゲート部２７の球検出センサがパチンコ球Ｐを検出したことを契機として普図変動表示が行われる普図表示部が遊技盤２０の遊技領域２１外に設けられ、該普図表示部の最終的な表示結果が普図当りとなった場合に、メイン制御基板が第２始動入賞装置４０に対して始動入賞口(入賞口)４１を所定時間に亘って開放する制御を行うよう構成されている。
【００２３】
(第２始動入賞装置４０について)
図２に示すように、実施例の遊技盤２０は、パチンコ球Ｐが入賞可能な始動入賞口４１を備えた入賞装置としての第２始動入賞装置４０が、第２球流下経路２１ｂに設けられている。第２始動入賞装置４０は、枠状装飾体２５の右下方位置に配設された装飾部材２４の後側上部に配設されており、第２球流下経路２１ｂを流下したパチンコ球Ｐ(ゲート部２７を通過したパチンコ球Ｐを含む)が入賞可能に構成されている。図３〜図５に示すように、第２始動入賞装置４０は、普図表示部の最終的な表示結果が普図当りとなったことを契機として所定時間に亘って励磁制御される電磁ソレノイド(作動手段)６１により始動入賞口４１を拡大・縮小可能な開閉部材(可変手段)６０を備えており、開閉部材６０の変位に応じて第２球流下経路２１ｂを流下するパチンコ球Ｐが始動入賞口４１に入賞し得るよう構成されている。第２始動入賞装置４０の始動入賞口４１に入賞球したパチンコ球Ｐは、メイン制御基板に配線接続された球検出センサ４７(図８(ｂ)参照)に検出されるよう構成されており、当該球検出センサ４７がパチンコ球Ｐを検出してメイン制御基板に検出信号が入力されることを、図柄表示装置１７での図柄変動演出の開始条件および賞球の払出条件として設定されている。
【００２４】
(特別入賞装置３５について)
特別入賞装置３５は、図２に示すように、枠状装飾体２５の右部に設けられ、遊技領域２１に開口する特別入賞口３６を開閉自在に閉成する開閉扉３７を備えており、駆動手段としての特別入賞ソレノイド(図示せず)の駆動に伴って開閉扉３７が閉鎖する閉鎖位置と開放する開放位置に変位するよう構成されている。なお、実施例では、開閉扉３７が左右方向へ揺動することで特別入賞口４１を開閉するよう構成されており、該開閉扉３７により特別入賞口４１が閉鎖された状態を図２に示す。また、特別入賞装置３５には、特別入賞口４１に入賞したパチンコ球Ｐを検出する特別入賞検出手段としての特別入賞検出センサ(図示せず)が設けられている。特別入賞検出センサは、メイン制御基板に配線接続されており、該特別入賞検出センサからメイン制御基板への入賞検出信号の入力に伴って所定数(実施例では１５個)の賞球が払い出されるようになっている。ここで、特別入賞ソレノイドは、第１始動入賞装置３０または第２始動入賞装置４０へのパチンコ球Ｐの入賞を契機として特別入賞装置３５を開放する大当り遊技が付与される場合に、大当り遊技の種類に応じた所定の開閉条件に従ってメイン制御基板によって駆動制御される。そして、特別入賞装置３５は、枠状装飾体２５の右側に配設されることで、第２球流下経路２１ｂを流下するパチンコ球Ｐを、開閉扉３７の開閉状態に応じて特別入賞口４１に入賞し得るよう構成されている。
【００２５】
(第２始動入賞装置４０の詳細について)
次に、第２始動入賞装置４０について、図面を引用して詳細に説明する。実施例の第２始動入賞装置４０は、図３〜図５に示すように、遊技領域２１を流下するパチンコ球が入賞可能な始動入賞口４１を有する本体ケース(本体)４２と、作動手段としての電磁ソレノイド６１の作動により第１状態および第２状態に変位可能に設けられ、第１状態から第２状態に変位することで始動入賞口４１が拡大する可変手段としての開閉部材６０とを有している。そして、開閉部材６０を第１状態とした場合には、第２球流下経路２１ｂを流下したパチンコ球Ｐが始動入賞口４１へ入賞することを不能とし、開閉部材６０を第２状態とした場合には、第２球流下経路２１ｂを流下したパチンコ球Ｐが始動入賞口４１へ入賞することを可能とするよう構成されている。
【００２６】
(本体ケースについて)
本体ケース４２は、図３、図６および図７に示すように、遊技盤２０に取り付けられる第１ケース体４３と、第１ケース体４３の後側に組み付けられる第２ケース体４４と、第２ケース体４４の後側に組み付けられる第３ケース体４５とから構成されている。第１ケース体４３は、遊技盤２０の前面に固定される前面パネル４３ａに、遊技領域２１に開口する始動入賞口４１が形成されている。また、第１ケース体４３の前面パネル４３ａの前面には、始動入賞口４１の左右両側に、前方へ突出した壁部４６,４６が形成されていると共に、装飾部材２４が当接する支持突部４９が、右の壁部４６の右側に設けられている。右の壁部４６と支持突部４９は、パチンコ球Ｐが通過可能な間隔をおいて設けられており、第２球流下経路２１ｂを流下するパチンコ球Ｐが通過可能となっている。
【００２７】
各壁部４６,４６は、始動入賞口４１の左開口縁および右開口縁に臨むように設けられ、上面４６ａは始動入賞口４１より上方に位置すると共に該始動入賞口４１に向けて下方傾斜している。すなわち、始動入賞口４１の左側に設けられた左壁部４６の上面４６ａは右下がりに傾斜しており、始動入賞口４１の右側に設けられた右壁部４６の上面４６ａは左下がりに傾斜している。従って、遊技領域２１の第２球流下経路２１ｂを流下したパチンコ球Ｐが、壁部４６,４６の上面４６ａに接触することで始動入賞口４１の上方へ案内されて、両壁部４６,４６の間から下方へ落下するようになっている。ここで、左の壁部４６と右の壁部４６との間は、パチンコ球Ｐの直径より大きく直径の２倍より小さい間隔で左右に離間して配設されている。従って、始動入賞口４１の上方へ到来したパチンコ球Ｐが、１球ずつ両壁部４６,４６間へ落下して該始動入賞口４１へ案内されるようになっている。
【００２８】
図３、図６および図７に示すように、本体ケース４２内には、第２始動入賞装置４０の構成部材が収容される収容部５０,５１,５２が画成されている。すなわち、本体ケース４２内には、駆動手段としての電磁ソレノイド６１を収容する第１収容部５０と、作動部材(リンク手段)６４および規制部材(規制手段)６３を収容する第２収容部５１と、開閉部材６０の後部分を収容する第３収容部５２とが画成されている。ここで、第３ケース体４５は、前方へ開口する矩形箱状に形成され、該第３ケース体４５の内部上側に第１収容部５０が画成されると共に、該第３ケース体４５の内部下側に第３収容部５２が画成されている。また、第２ケース体４４は、上側部分が矩形筒状に形成され、この上側部分に第２収容部５１が画成されている。そして、第２ケース体４４における矩形筒状部分の下側には、始動入賞口４１に整合する入賞空間４８を画成する壁部５３,５３が、左右に離間すると共に前後に延在している。この壁部５３,５３の下縁は、該第３収容部５２に配設される開閉部材６０における側壁７２の上縁と上下方向に対向するようになっている(図８(ｂ)参照)。なお、第３ケース体４５は、第２ケース体４４に画成された第３収容部５２の前側部分を塞がないように構成されている(図８(ｂ)参照)。
【００２９】
そして、図６、図７および図８(ｂ)に示すように、第１ケース体４３における始動入賞口４１の上側に、上下方向に延在すると共に前後に開口して該始動入賞口４１に連通する第１スリット部５７が設けられている。この第１スリット部５７には、規制部材６３に設けられた球当て部１１３が収容可能となっている(図９(ｂ)参照)。また、第２ケース体４４における矩形筒状部分の底部に、規制部材６３が上下方向に通過可能な第２スリット部５８が形成されている。規制部材６３は、後述する規制位置および許容位置の間を姿勢変して規制状態および許容状態に切り替わる際に、第２スリット部５８を通過するようになっている(図８(ｂ)参照)。また、第２ケース体４４における矩形筒状部分の上部に、規制部材６３の上縁部が収容可能な第３スリット部５９が形成されている。規制部材６３は、後述する許容位置に姿勢変位した際に、上縁部が第３スリット部５９へ収容されるようになっている(図９(ｂ)参照)。
【００３０】
第２始動入賞装置４０は、図４〜図７に示すように、本体ケース４２に配設される構成部材として、始動入賞口４１を閉鎖する閉鎖位置(第１状態；図８(ｂ)参照)および該始動入賞口４１を開放する開放位置(第２状態；図９(ｂ)参照)に往復移動可能な開閉部材６０と、該開閉部材６０を駆動する電動式駆動手段としての電磁ソレノイド６１と、当該電磁ソレノイド６１を開閉部材６０に連繋接続するリンク部材(リンク手段)６２とを備えている。開閉部材６０は、電磁ソレノイド６１の励磁制御および非励磁によりリンク部材６２が姿勢変位することで、本体ケース４２に対して前後方向へ往復移動して開放位置および閉鎖位置に変位するようになっている。すなわち、電磁ソレノイド６１の作動に伴って開閉部材６０を閉鎖位置および開放位置に往復移動させることで、第２球流下経路２１ｂを流下するパチンコ球Ｐの始動入賞口４１への入賞が許容された状態と、入賞が阻止された状態とに切り替わるよう構成されている。ここで、開閉部材６０が始動入賞口４１を閉鎖する状態としては、当該開閉部材６０により始動入賞口４１が完全に塞がれて遊技領域２１に開口しない状態である必要はなく、当該始動入賞口４１をパチンコ球Ｐが入賞不能な程度に塞ぐ状態であれば、始動入賞口４１が遊技領域２１に開口している状態であってもよい。
【００３１】
また、実施例の第２始動入賞装置４０は、図４〜図７に示すように、始動入賞口４１へのパチンコ球Ｐの入賞を規制する規制位置(規制状態；図８(ｂ)参照)および該始動入賞口４１へのパチンコ球Ｐの入賞を許容する許容位置(許容状態；図９(ｂ)参照)に変位可能な規制部材(規制手段)６３を備えている。この規制部材６３は、リンク手段としての作動部材６４を介してリンク部材６２に連係しており、電磁ソレノイド６１が駆動制御することで規制位置および許容位置に変位するよう構成されている。すなわち、第２始動入賞装置４０は、電磁ソレノイド６１の作動に伴って変位するリンク部材６２および作動部材６４により規制部材６３を規制位置および許容位置に変位させることで、パチンコ球Ｐが始動入賞口４１へ入賞するのを許容する許容状態と、入賞するのを規制する規制状態と切り替わるよう構成されている。ここで、規制部材６３が始動入賞口４１へのパチンコ球Ｐの入賞を規制する状態としては、当該規制部材６３により始動入賞口４１が完全に塞がれて第２球流下経路２１ｂに開口しない状態である必要はなく、当該始動入賞口４１をパチンコ球Ｐが入賞不能な程度に塞ぐ状態であれば、始動入賞口４１が遊技領域２１に開口している状態であってもよい。
【００３２】
(開閉部材６０について)
開閉部材６０は、図４〜図９に示すように、前後方向に長尺な平板状に形成されている。開閉部材６０は、前側部分７０と該前側部分７０の後側に連設される後側部分７１とを備え、第３ケース体４５に形成された第３収容部５２に後側部分７１が摺動可能に挿入され、当該第３収容部５２の前方開口から前側部分７０が延出するよう構成されている。すなわち、開閉部材６０は、前側部分７０が第３収容部５２から前方へ突出した状態で、前後方向に往復移動し得るよう構成されている。そして、開閉部材６０の後側部分７１に、リンク部材６２の第１リンク係合部９５と係合する開閉係合部８０が設けられている。
【００３３】
開閉部材６０の前側部分７０は、図４〜図９に示すように、前後に長い矩形枠状に形成されている。前側部分７０は、パチンコ球Ｐの直径より大きい間隔で左右に離間すると共に前後に延在する左右一対の側壁７２,７２を備えている。また、前側部分７０の前端部は、後方へ向かうにつれて下方傾斜する傾斜状に形成された球誘導片(球受け部)７３が上方へ突出するよう形成されている。この球誘導片７３は、左右中央が前方へ尖っていて、左右中央から左側部分が後方に向かうにつれて後方へ変位して左の側壁７２に連設されると共に、左右中央から右側部分が後方へ向かうにつれて後方へ変位して右の側壁７２に連設されている。また、前側部分７０の底部は、前述した球誘導片７３に連設する前部が、後方に向かうにつれて僅かに下方へ傾斜する傾斜状に形成された球受け面(球受け部)７４が設けられると共に、底部における球受け面７４の後方は、パチンコ球Ｐの下方への通過を許容する球通過口７５が形成されている。更に、前側部分７０の底部後端における左右には、下方へ突出した支持突部７６,７６が形成されており、第３ケース体４５の第３収容部５２における底部上面に該支持突部７６,７６が摺接すると共に、前側部分の球誘導片７３および球受け面７４にパチンコ球Ｐが落下した際に、該支持突部７６,７６および後述するガイド部７７により、パチンコ球Ｐの衝突による衝撃を支持するようになっている(図８(ｂ)および図９(ｂ)参照)。また、球通過口７５は、左右幅がパチンコ球Ｐの直径より僅かに大きく、前後幅がパチンコ球Ｐの直径の２倍程度とした矩形状とされているが、該球通過口７５の開口形状は、パチンコ球Ｐの通過を許容するものであれば円形、楕円形、多角形であってもよい。
【００３４】
開閉部材６０の前側部分７０は、該開閉部材６０が開放位置に移動した状態(図９(ｂ)参照)では、球誘導片７３および球受け面７４が始動入賞口４１を介して遊技盤２０の前側(遊技領域２１)に突出するようになっている。すなわち、開閉部材６０が開放位置に移動した状態では、通入通路５２ａを流下するパチンコ球Ｐが球誘導片７３および球受け面７４で受け止められて、該球誘導片７３および球受け面７４の傾斜により該パチンコ球Ｐが後方(すなわち始動入賞口４１側)へ案内されるようになっている。また、開閉部材６０が閉鎖位置に移動した状態(図８(ｂ)参照)では、球誘導片７３および球受け面７４が始動入賞口４１を介して遊技盤２０の裏側に退避すると共に、当該開閉部材６０により始動入賞口４１の下部側が塞がれて、始動入賞口４１の上下幅がパチンコ球Ｐの直径より小さくなることで、当該始動入賞口４１へのパチンコ球Ｐの入賞を阻止するよう構成されている。そして、開閉部材６０が閉鎖位置にある状態では、始動入賞口４１から入賞空間４８へ入ったパチンコ球Ｐが、球通過口７５から下方へ移動して本体ケース４２の下方に配設された球検出センサ４７で検出され、該球検出センサ４７で検出された後に球排出通路(図示せず)を介して遊技盤２０の外部へ排出されるようになっている。
【００３５】
開閉部材６０の後側部分７１は、図４〜図７に示すように、前後に長い矩形ブロック状に形成されている。後側部分７１の上部に、第３ケース体４５の第３収容部５２に形成されたガイドレール５４に係合するガイド部７７が形成されている。ガイド部７７は、前後方向に延在すると共に後側部分７１の上面から下方へ凹んでおり、下方へ突出したガイドレール５４に嵌合した状態で摺接可能となっている。後側部分７１の底部には、前後に細長に延在すると共に下方に突出した当接縁部７８が、該底部における左縁および右縁の夫々に設けられており、第３ケース体４５の第３収容部５２に収容された当該後側部分７１は、夫々の当接縁部７８,７８が該第３収容部５２の底部に接触して摺動するようになっている。なお、当接縁部７８は、その短手方向での断面形状が下方へ凸となる半円形状となっていて、第３収容部５２の底部に線状に接触するようになり、第３収容部５２の底部との摩擦が軽減されるようになっている。また、後側部分７１の後端部には、後方に突出したストッパ７９が該後端部における左縁および右縁の夫々に設けられており、夫々のストッパ７９,７９が第３収容部５２の後部に当接することで(図８(ｂ)参照)、開閉部材６０の閉成位置が規定されると共に、該開閉部材６０が閉成位置より後方へ移動することが規制されるようになっている。
【００３６】
図５〜図９に示すように、開閉部材６０の後側部分７１における前部両側に、リンク部材６２における第１リンク係合部９５,９５が係合する開閉係合部８０,８０が設けられている。各開閉係合部８０,８０は、開閉部材６０の側方および上下に開口した凹状に形成されている。これにより各開閉係合部８０,８０は、リンク部材６２の姿勢変位に伴う第１リンク係合部９５,９５の上下方向の移動を許容すると共に、該第１リンク係合部９５,９５が上下方向へ移動しても常に係合状態を維持し得るよう構成されている。
【００３７】
(電磁ソレノイド)
作動手段としての電磁ソレノイド６１は、図４〜図９に示すように、前側にプランジャ８６を位置させた姿勢でソレノイド本体８５が本体ケース４２の第１収容部５０に設置され、該プランジャ８６は第２収容部５１に向けて前方へ延出している。電磁ソレノイド６１は、メイン制御基板により励磁制御されると共にプランジャ８６に圧縮タイプのスプリング８７が配設されており、励磁時にはプランジャ８６がソレノイド本体８５内に後退移動し、非励磁時にはプランジャ８６がスプリング８７の付勢によりソレノイド本体８５から前進移動するよう構成されている。
【００３８】
(リンク部材)
連係部としてのリンク部材６２は、図４〜図９に示すように、本体ケース４２に揺動可能に支持されて、電磁ソレノイド６１により揺動変位するようになっている。リンク部材６２は、電磁ソレノイド６１のプランジャ８６に連繋接続されて当該プランジャ８６と一体的に前後移動する連結部９０と、該連結部９０の左右両端部に設けられ、開閉部材６０および作動部材６４の夫々に連係接続される揺動アーム９１,９１とを備えている。ここで、各揺動アーム９１,９１は、開閉部材６０に連係接続される第１アーム部９２と、作動部材６４に連係接続される第２アーム部９３とを備えると共に、本体ケース４２の左右側壁に設けられた支持部５５,５５に係合される軸部９４,９４を備えている。第１アーム部９２は、揺動アーム９１における軸部９４の形成位置から下方へ延出した部分であると共に、第２アーム部９３は、該揺動アーム９１における軸部９４の形成位置から上方へ延出した部分であり、第２アーム部９３,９３の間に連結部９０が一体に設けられている。そして、リンク部材６２は、各軸部９４,９４と支持部５５,５５との係合により本体ケース４２に揺動可能に支持されると共に、連結部９０が電磁ソレノイド６１のプランジャ８６に連係接続されていることで、該電磁ソレノイド６１の励磁時には、各第１アーム部９２,９２が前方へ移動すると共に各第２アーム部９３,９３が後方へ移動するように揺動変位する一方、該電磁ソレノイド６１の非励磁時には、各第１アーム部９２,９２が後方へ移動すると共に各第２アーム部９３,９３が前方へ移動するように揺動変位する。
【００３９】
図８および図９に示すように、各第１アーム部９２,９２の下端部には、開閉部材６０に設けられた前述の開閉係合部８０に係合する第１リンク係合部９５が形成されている。第１リンク係合部９５,９５は、第１アーム部９２の下端部内側から棒状に延出しており、開閉係合部８０に対して横方向から係合して摺動可能となっている。また、各第２アーム部９３,９３の上端部には、作動部材６４に設けられた作動係合部１０３が係合する第２リンク係合部９６が形成されている。第２リンク係合部９６,９６は、第２アーム部９３の上端部外側に、側外方へ開口した長溝状に形成され、作動係合部１０３が横方向から係合すると共に摺動が可能となっている。
【００４０】
(作動部材)
作動部材６４は、図４〜図９に示すように、本体ケース４２における第２収容部５１内を前後方向へ往復移動可能に配設されている。作動部材６４は、前後方向に延在する左右一対の板状をなす側体部１００,１００と、両側体部１００,１００の上縁に夫々連設され、該側体部１００,１００を左右に離間させた連結板部１０１とを備えた部材である。作動部材６４は、下方および前後に開口する収容部１０２が両側体部１００,１００間に画成されており、該収容部１０２には、規制部材６３の上部分およびリンク部材６２の上部分が下方から収容可能に構成されている。各側体部１００,１００の後端部には、リンク部材６２の第２アーム部９３に設けられた第２リンク係合部９６に係合する作動係合部１０３が設けられている。各作動係合部１０３,１０３は、各側体部１００,１００の後端部内側から突出したピン状に形成され、溝状に形成された第２リンク係合部９６に対して側方から係合すると共に、該第２リンク係合部９６に摺動可能となっている。
【００４１】
また、図４〜図９に示すように、作動部材６４における各側体部１００,１００の前側部分には、規制部材６３に設けられた規制係合部１１２が摺接するガイド部１０５が設けられている。この規制係合部１１２は、作動部材６４の往復移動時にガイド部１０５の上面に沿って摺動するようになっており、ガイド部１０５の形状によって該規制係合部１１２が上下方向に移動することで、本体ケース４２に揺動可能に支持された規制部材６３の規制位置および許容位置の間の姿勢変位を規定するようになっている。各ガイド部１０５は、図６、図８および図９に示すように、側体部１００の前端部に隣接して位置する第１ガイド面１０６と、該第１ガイド面１０６の後縁から後方へ延在する第２ガイド面１０７と、該第２ガイド面１０７の後縁から後方へ延在する第３ガイド面１０８とから構成されている。ここで、第１ガイド面１０６は、前後方向に水平な平坦面であり、第２ガイド面１０７は、後方に向かうにつれて下方傾斜した平坦面に形成され、第３ガイド面１０８は、前後方向に水平な平坦面である。すなわち、第１ガイド面１０６は、第３ガイド面１０８より上方に位置している。
【００４２】
(規制部材)
規制部材６３は、図６〜図９に示すように、本体ケース４２における第２収容部５１内に設けられた規制部材支持部５６に後部が枢支され、前部が上下方向に往復移動するように該本体ケース４２に配設されている。規制部材６３は、始動入賞口４１に延出してパチンコ球Ｐが該始動入賞口４１に入賞するのを規制する規制部１１０と、該規制部１１０から後方へ延出して規制部材支持部５６に連結される連結部１１１と、ガイド部１０５に摺接する規制係合部１１２とを備えている。実施例の規制部材６３は、左右幅より上下幅が大きい板状に形成された部材である。但し、規制部材６３の形状はこれに限定されるものではなく、規制位置において始動入賞口４１へのパチンコ球Ｐの入賞を規制し得るよう構成されていれば様々な形状とすることができる。
【００４３】
規制部１１０は、図８(ｂ)および図９(ｂ)に示すように、前端から後方に向かうにつれて上下幅が徐々に小さくなる扇形状に形成されている。規制部１１０の前端は、上下方向において前方へ凸となる湾曲状に形成されていると共に、該規制部１１０の上端１１４および下端１１５は直線状に形成されている。そして、規制部１１０の前端は、上下方向の略中間から下側部分が上側部分より前方へ突出しており、該下側部分が、始動入賞口４１へ延出してパチンコ球Ｐに接触する球当て部１１３となっている。ここで、規制部１１０は、規制部材６３が許容位置となると始動入賞口４１および入賞空間４８から退避し、下端１１５が第２スリット部５８に位置すると共に上端１１４が第３スリット部５９に位置し、球当て部１１３が第１スリット部５７に位置するようになる(図９(ｂ)参照)。一方、規制部１１０は、規制部材６３が規制位置となると、球当て部１１３が始動入賞口４１へ延出すると共に下端１１５が入賞空間４８内へ延出する(図８(ｂ)参照)。
【００４４】
図６および図７に示すように、連結部１１１の後端部には、左右方向に貫通する連結孔１１６が形成され、左右方向に軸心が向いた状態で規制部材支持部５６に支持される支持軸１１７が、該連結孔１１６に貫通するようになっている(図９(ａ)参照)。従って、規制部材６３は、支持軸１１７に回転自在に支持された規制部１１０が支持軸１１７を中心として上下方向へ移動することで、許容位置および規制位置の間を姿勢変位可能となる。また、規制部材６３は、連結部１１１の後端部で支持軸１１７に支持されているので、当該規制部材６３の自重により許容位置側から規制位置側に向けて常に付勢されている。
【００４５】
規制係合部１１２は、図４、図５、図８および図９に示すように、規制部１１０の後上部から左右方向へ延出している。すなわち、規制係合部１１２は、規制部材６３の回転中心である支持軸１１７から前方へ離間した位置に、規制部材６３の左右方向へ延出したピン状の突出部である。規制係合部１１２は、規制部材６３から左方へ延出した部分が、作動部材６４の左側体部１００に設けられたガイド部１０５に上方から係合するようになり、規制部材６３から右方へ延出した部分が、作動部材６４の右側体部１００に設けられたガイド部１０５に上方から係合するようになっている。
【００４６】
(規制部材と作動部材との関係について)
図８および図９に示すように、本体ケース４２における第２収容部５１内に配設された規制部材６３は、該第２収容部５１内に配設された作動部材６４の収容部１０２内に規制部１１０および連結孔１１６が位置している。そして、規制部材６３における規制係合部１１２の下方に、作動部材６４に設けられたガイド部１０５,１０５が位置しており、電磁ソレノイド６１の励磁制御によるプランジャ８６の前進・後退変位に伴って作動部材６４が第２収容部５１内を前後に往復移動する際に、ガイド部１０５,１０５が規制係合部１１２の下方を前後に移動するように構成されている。そして、規制部材６３は、前述したように自重により規制位置側へ付勢されていることで、規制係合部１１２はガイド部１０５,１０５のガイド面に常に上方から押し付けられるようになっている。
【００４７】
ここで、電磁ソレノイド６１が非励磁によりプランジャ８６が最前進位置となっている場合では、図４および図８に示すように、作動部材６４が第２収容部５１内で最前進位置となっており、規制係合部１１２の下方にはガイド部１０５の第３ガイド面１０８が位置するように構成されている。そして、電磁ソレノイド６１が非励磁状態から励磁されて、プランジャ８６が最前進位置から最後退位置に向けて後退移動する際には、作動部材６４が第２収容部５１内を後方へ移動することでガイド部１０５,１０５が後退移動するため、規制部材６３の規制係合部１１２は、第３ガイド面１０８,１０８から第２ガイド面１０７,１０７に移動し、該第２ガイド面１０７,１０７を摺動することに伴って徐々に上方へ移動するようになる。更に作動部材６４が第２収容部５１内を後方へ移動すると、規制部材６３の規制係合部１１２は、第２ガイド面１０７,１０７から第１ガイド面１０６,１０６に移動し、該第１ガイド面１０６,１０６を摺動するようになる。そして、プランジャ８６が最後退位置まで移動して作動部材６４が最後退位置まで移動した場合には、規制部材６３の規制係合部１１２は、ガイド部１０５の第１ガイド面１０６,１０６上に位置している(図９参照)。
【００４８】
すなわち、実施例の規制部材６３は、規制係合部１１２がガイド部１０５の第３ガイド面１０８,１０８上に位置している際に、規制部材６３が規制位置に保持されるよう構成されている。また、規制部材６３は、規制係合部１１２がガイド部１０５の第１ガイド面１０６,１０６上に位置している際に、規制部材６３が許容位置に保持されるよう構成されている。
【００４９】
(開閉部材６０と規制部材６３との動作タイミングについて)
実施例の第２始動入賞装置４０は、開閉係合部８０と第１リンク係合部９５とが、前後方向におけるがたつきを最小限に設定してある(図８(ｂ)参照)。従って、電磁ソレノイド６１が励磁制御されてプランジャ８６が最先進位置から最後退位置に向けて移動開始すると同時に開閉部材６０が閉鎖位置から開放位置に向けて移動開始すると共に、電磁ソレノイド６１の励磁制御が停止されてプランジャ８６が最後退位置から最前進位置に向けて移動開始すると同時に開閉部材６０が開放位置から閉鎖位置に向けて移動開始するようになっている。
【００５０】
また、実施例の第２始動入賞装置４０は、各ガイド部１０５,１０５における第１ガイド面１０６と第２ガイド面１０７との境界位置が、作動部材６４が最後退位置から最前進位置に向けて距離Ｌだけ移動した位置(図１０(ａ)参照)で規制係合部１１２と一致するように設定されている。すなわち、開閉部材６０の動作と同期して動作する作動部材６４が最後退位置から距離Ｌだけ前方へ移動した後に、規制部材６３が許容位置から規制位置に向けて移動開始するようになっている。従って、電磁ソレノイド６１の励磁を停止して、開閉部材６０が開放位置から閉鎖位置へ移動する際においては、該開閉部材６０が図９に示す開放位置から図１０(ａ)に示す位置まで移動する間は規制部材６３が許容位置に保持されており、該開閉部材６０が図１０(ａ)に示す位置から図８に示す閉鎖位置まで移動する間に規制部材６３が許容位置から規制位置へ移動するよう構成されている。
【００５１】
(実施例の作用)
次に、実施例に係るパチンコ機１０の作用について説明する。
【００５２】
実施例の第２始動入賞装置４０は、電磁ソレノイド６１の非励磁時において、図８(ａ)および図８(ｂ)に示すように、開閉部材６０が閉鎖位置に保持されると共に規制部材６３が規制位置に保持されていることで、パチンコ球Ｐが始動入賞口４１に入賞することが不可能となっている。従って、操作ハンドル１６の操作レバー１６ａを移動させて遊技盤２０の遊技領域２１へ打ち出したパチンコ球Ｐが、第２球流下経路２１ｂを流下する際に壁部４６,４６の間へ案内されて始動入賞口４１の前方を通過しても、当該パチンコ球Ｐが第２始動入賞装置４０の始動入賞口４１へ入賞することはない。
【００５３】
第２球流下経路２１ｂを流下するパチンコ球Ｐがゲート部２７を通過して、球検出センサが当該パチンコ球Ｐを検出してメイン制御基板に検出信号が入力されると、普図表示部において普図変動表示が開始される。そして、普図表示部の最終的な表示結果が普図当りとなった場合には、メイン制御基板が第２始動入賞装置４０の電磁ソレノイド６１を所定時間(例えば、通常遊技状態では２秒間)に亘って励磁制御する。電磁ソレノイド６１の励磁に伴ってプランジャ８６が最前進位置から最後退位置へ移動して、これに伴ってリンク部材６２が姿勢変位することで、開閉部材６０が図８に示す閉鎖位置から図９に示す開放位置へ移動する。また、リンク部材６２の姿勢変位に伴って作動部材６４が最前進位置から最後退位置に向けて移動することで、規制部材６３が図８に示す規制位置から図９に示す許容位置へ姿勢変位する。これにより、開閉部材６０が始動入賞口４１から遊技領域２１へ延出すると共に、該始動入賞口４１がパチンコ球Ｐの入賞が可能な開口サイズとなる。
【００５４】
従って、電磁ソレノイド６１の励磁に伴って開閉部材６０が開放位置に停止することで、第２球流下経路２１ａを流下して壁部４６,４６間へ案内されたパチンコ球Ｐが、開閉部材６０の球誘導片７３および球受け面７４で受け止められる(図９(ｂ))。そして、球受け面７４で受け止められたパチンコ球Ｐは、球誘導片７３に接触することで、該球受け面７４上を始動入賞口４１側へ移動して該始動入賞口４１へ入賞し、入賞空間４８内へ案内される。入賞空間４８内へ案内されたパチンコ球Ｐは、開閉部材６０の球通過口７５から下方へ移動して、球検出センサ４７を通過した後に球排出経路を介して遊技盤２０の外部へ排出される。そして、球検出センサ４７によるパチンコ球Ｐの検出を契機として、図柄表示装置１７における図柄変動演出が行われる。
【００５５】
所定時間の経過により、メイン制御基板が電磁ソレノイド６１の励磁を停止すると、該電磁ソレノイド６１のプランジャ８６が最後退位置から最前進位置へ移動し、これに伴ってリンク部材６２が姿勢変位することで、開閉部材６０が図９に示す開放位置から図８に示す閉鎖位置へ移動する。一方、リンク部材６２の姿勢変位に伴って作動部材６４が最後退位置から最前進位置に向けて移動し、開閉部材６０が閉鎖位置に向けて移動開始してから所定のタイミングで、規制部材６３が許容位置から規制位置に向けて姿勢変位するようになる。従って、開放位置から移動位置に向けて移動途中の開閉部材６０にパチンコ球Ｐが受け止められた場合(図１０(ａ)参照)には、規制位置に向けて姿勢変位する規制部材６３の球当て部１１３が当該パチンコ球Ｐに当たるようになり(図１０(ｂ)参照)、このパチンコ球Ｐは始動入賞口４１側への入賞が規制されて、開閉部材６０の球誘導片７３と始動入賞口４１の開口上縁との間にパチンコ球Ｐが挟まれることが防止される。
【００５６】
また、開放位置から閉鎖位置に向けて移動途中の開閉部材６０の球受け面７４に受け止められ、該球受け面７４上に載った状態で始動入賞口４１を通過したパチンコ球Ｐは、規制位置に向けて姿勢変位する規制部材６３における規制部１１０の下端１１５が前方から当たることで入賞空間４８の後方に向けて押され、球検出センサ４７で迅速に検出される。従って、規制部材６３は、規制位置に姿勢変位することで入賞空間４８内に留まるパチンコ球Ｐを迅速に通出するよう機能する。
【００５７】
従って、実施例の第２始動入賞装置４０によれば、ゲート部２７をパチンコ球Ｐが通過することを契機として普図表示部の最終的な表示結果が普図当りとなった場合には、始動入賞口４１の下縁を進退移動可能に配設された開閉部材６０が開放位置に変位すると共に規制部材６３が許容位置に切り換わるので、遊技領域２１の第２球流下経路２１ｂを流下したパチンコ球Ｐが始動入賞口４１へ入賞することが許容される。また、開閉部材６０が開放位置から閉鎖位置へ変位する際に、規制部材６３が許容位置から規制位置へ切り換わることで、始動入賞口４１へのパチンコ球の入賞が該規制部材６３により規制される。これにより、開閉部材６０と始動入賞口４１との間にパチンコ球Ｐが噛み込まれることが防止され、開閉部材６０を作動させる電磁ソレノイド６１に負荷がかかることが回避されると共に、リンク部材６２が破損することも防止され、第２始動入賞装置４０が故障することを防止し得る。また、開閉部材６０が開放位置から閉鎖位置へ移動する際にパチンコ球Ｐが始動入賞口４１へ入賞することが防止されるので、始動入賞口４１に規定数以上のパチンコ球Ｐが入賞することも防止し得る。
【００５８】
そして、開閉部材６０が開放位置に移動した際には、規制部材６３が許容位置に切り換わっているので、開放位置に停止した直後の開閉部材の球受け面で受け止められた遊技球を、始動入賞口４１へ適切に入賞するようにし得る。また、開閉部材６０が開放位置から閉鎖位置に向けて移動途中に、リンク部材６２および作動部材６４を介して規制部材６３が許容位置から規制位置へ切り換わるようになるので、開閉部材６０の球受け面７４に受け止められたパチンコ球Ｐが該開閉部材６０の球誘導片７３の上縁と始動入賞口４１の開口上縁との間に挟まれることを確実に防止し得る。
【００５９】
また、始動入賞口４１を挟んで設けられた左右一対の壁部４６,４６により、複数のパチンコ球Ｐが該始動入賞口４１へ同時に集まることを防止でき、該パチンコ球Ｐが始動入賞口４１に引っ掛かって球詰まりが発生することを防止し得る。また、壁部４６,４６の上面４６ａが始動入賞口４１に向けて下方傾斜しているので、パチンコ球Ｐを始動入賞口４１へ円滑に案内することが可能である。
【００６０】
（変更例）
なお、遊技機としては、前述したものに限らず、種々の変更が可能である。
【００６１】
(１)実施例では、開閉部材(可変手段)が前後方向へ水平に進退移動する形態の入賞装置を採用したが、開閉部材が左右方向に進退移動する形態としたり、開閉部材が左右方向に揺動する形態としたり、開閉部材が前後方向に揺動する形態とすることも可能である。
(２)実施例では、図柄表示装置での図柄変動演出の開始条件および賞球の払出条件として設定された入賞装置を例示したが、賞球の払出条件のみが設定された入賞装置であってもよい。また、図柄変動演出の開始条件および賞球の払出条件が設定されない入球口開閉タイプの所謂入球装置にも応用可能である。
(３)実施例では、開閉部材(可変手段)を動作させる作動手段により規制部材(規制手段)を規制状態および許容状態に切り換えるよう構成したが、開閉部材を動作させる作動手段とは別の作動手段によって規制部材を規制状態および許容状態に切り換えるよう構成してもよい。
(４)規制部材(規制手段)は、実施例のように入賞口の上側に配設した形態に限らず、入賞口の側方(左側、右側)、または下側に配設するようにしてもよい。
(５)規制部材(規制手段)の許容状態および規制状態の姿勢変位は、実施例のような回転によるものに限らず、入賞口に対して直線状または曲線状にスライドして姿勢変位するものであってもよい。
(６)実施例では、規制係合部が係合するガイド部の形状(ガイド面の長さや傾斜角度等)を変更することで、開閉部材(可変手段)の閉鎖状態および開放状態の間の移動に対する規制部材(規制手段)の許容状態および規制状態の間の姿勢変位のタイミングを多様に設定することが可能である。例えば、作動部材の移動方向(実施例では前後方向)における第１ガイド面の長さを短くすることで、開閉部材が開放状態から閉鎖状態に向けた移動開始に対する規制部材の許容状態から規制状態に向けた移動開始のタイミングを早めることが可能となる。また、第２ガイド面の傾斜角度を変えることで、規制部材が許容状態および規制状態の間を姿勢変位する際の速度を変更し得る。またガイド部は、作動部材の移動方向(実施例では前後方向)で湾曲する曲面状とすることで、許容状態および規制状態の間を姿勢変位する際の姿勢変位速度を変化させ得る。
(７)実施例では、開閉部材(可変手段)が開放位置から閉鎖位置に向けて動作開始してから所定時間後に規制部材(規制手段)が許容位置から規制位置に向けて姿勢変位を開始するようにしたが、開閉部材が動作を開始する前に規制部材を許容位置から規制位置に向けて姿勢変位を開始するようにしてもよい。
(８)実施例では、遊技機としてパチンコ機を例示して説明したが、これに限られるものではなく、アレンジボール機やピンボール機等の各種遊技機を採用し得る。すなわち、遊技領域を流下する遊技球が入賞可能な入賞口を備えた遊技機に対して好適に適用することができる。
【符号の説明】
【００６２】
２０ 遊技盤，２１ 遊技領域，４０ 第２始動入賞装置(入賞装置)
４１ 始動入賞口(入賞口)，４２ 本体ケース(本体)，４６ 壁部，４６ａ 上面
４８ 入賞空間，５１ 第２収容部(収容部)，５７ 第１スリット部
５８ 第２スリット部，５９ 第３スリット部，６０ 開閉部材(可変手段)
６１ 電磁ソレノイド(作動手段)，６２ リンク部材(リンク手段)
６３ 規制部材(規制手段)，６４ 作動部材(リンク手段)
７３ 球誘導片(球受け部)，７４ 球受け面(球受け部)，７５ 球通過口
７８ 当接縁部，１１０ 規制部，１１３ 球当て部，１１４ 規制部の上端
１１５ 規制部の下端，Ｐ パチンコ球(遊技球)
【図１】
0006317236.tif 000002
【図２】
0006317236.tif 000003
【図３】
0006317236.tif 000004
【図４】
0006317236.tif 000005
【図５】
0006317236.tif 000006
【図６】
0006317236.tif 000007
【図７】
0006317236.tif 000008
【図８】
0006317236.tif 000009
【図９】
0006317236.tif 000010
【図１０】
0006317236.tif 000011